(57)【特許請求の範囲】
【請求項１】
負荷に接続する変圧器のタップを切り換える切換動作を行う主切換開閉器と、限流抵抗の接続を切り換える切換動作を行う補助切換開閉器と、負荷に接続するタップを切り換える際に回転駆動される駆動軸と、前記駆動軸の回転に伴って前記主切換開閉器に切換動作を行わせる主切換開閉器駆動機構と、予め設定された動作タイミングで前記補助切換開閉器の切換動作を行わせる補助切換開閉器駆動機構とを備えた負荷時タップ切換装置用切換開閉器において、
前記補助切換開閉器駆動機構は、
回動自在に支持された従動レバーと、前記従動レバーに対して相対的に回動し得るように設けられた駆動レバーと、前記従動レバーと駆動レバーとの間に設けられて前記駆動レバーの回動により蓄勢されるトグルバネとを備えて、前記駆動レバーが所定の角度回動したときに前記トグルバネの付勢力により前記従動レバーを速動させて前記補助切換開閉器の切換動作を行わせるトグル機構と、
前記補助切換開閉器の切換動作を前記設定された動作タイミングで行わせるように前記駆動軸の回転を前記駆動レバーに伝達する駆動力伝達機構と、
を備えたことを特徴とする負荷時タップ切換装置用切換開閉器。
【請求項２】
負荷に接続する変圧器のタップを奇数タップから偶数タップに切り換える第１の切換動作と偶数タップから奇数タップに切り換える第２の切換動作とを行う主切換開閉器と、前記奇数タップ及び偶数タップにそれぞれ接続される第１の固定接点及び第２の固定接点と前記第１の固定接点に接触する位置と第２の固定接点に接触する位置との間を変位させられるように設けられて限流抵抗に接続された可動接点とを有して前記限流抵抗を奇数タップ側及び偶数タップ側に切換接続する切換動作を行う補助切換開閉器と、負荷に接続するタップを奇数タップから偶数タップに切り換える際及び偶数タップから奇数タップに切り換える際にそれぞれ一方向及び他方向に回転駆動される駆動軸と、前記駆動軸が一方向に回転したとき及び他方向に回転したときにそれぞれ前記主切換開閉器に第１の切換動作及び第２の切換動作を行わせるように前記主切換開閉器を駆動する主切換開閉器駆動機構と、前記主切換開閉器の切換動作に対して一定の関係を持たせて予め設定した動作タイミングで前記補助切換開閉器の切換動作を行わせる補助切換開閉器駆動機構とを備えた負荷時タップ切換装置用切換開閉器において、
前記補助切換開閉器駆動機構は、
回動自在に支持されて前記可動接点を前記第１の固定接点に接触させた状態にする第１の位置と前記可動接点を前記第２の固定接点に接触させた状態にする第２の位置との間を回動させられる従動レバーと、前記従動レバーに対して相対的に回動し得るように設けられた駆動レバーと、前記従動レバーと駆動レバーとの間に設けられて前記駆動レバーの回動により蓄勢されるトグルバネとを備えて、前記駆動レバーが一方向及び他方向に所定の角度回動したときにそれぞれ前記トグルバネの付勢力により前記従動レバーを前記第１の位置側及び第２の位置側に速動させるトグル機構と、
前記補助切換開閉器の切換動作を前記設定された動作タイミングで行わせるように前記駆動軸の回転を前記駆動レバーに伝達する駆動力伝達機構と、
を備えたことを特徴とする負荷時タップ切換装置用切換開閉器。
【発明の詳細な説明】
【０００１】
【発明の属する技術分野】
本発明は、負荷時タップ切換装置に用いる切換開閉器に関するものである。
【０００２】
【従来の技術】
負荷時タップ切換開閉器は、例えば図８に示すように、タップｔ1 ，ｔ2 ，ｔ3 ，…を備えた変圧器１と、変圧器１の奇数番目のタップ（奇数タップ）ｔ1 ，ｔ3 ，…及び偶数番目のタップ（偶数タップ）ｔ2 ，ｔ4 ，…をそれぞれ選択する奇数タップ用接触子２ａ及び偶数タップ用接触子２ｂを備えたタップ選択器２と、タップを切り換える過程で流れるタップ間短絡電流を制限する限流抵抗４と、負荷に接続する変圧器のタップを切り換える切換動作を行う主切換開閉器５と、限流抵抗の接続を切り換える補助切換開閉器６と、主切換開閉器５を駆動する主切換開閉器駆動機構及び補助切換開閉器６を駆動する補助切換開閉器駆動機構（図８には図示せず。）とを備えている。
【０００３】
補助切換開閉器６は、奇数タップ用接触子２ａを通して変圧器１の奇数タップｔ1 ，ｔ3 ，…に接続される第１の固定接点６ａと、偶数タップ用接触子２ｂを通して変圧器１の偶数タップｔ2 ，ｔ4 ，…に接続される第２の固定接点６ｂと、第１の固定接点６ａに接触する位置と第２の固定接点６ｂに接触する位置との間を変位させられるように設けられて限流抵抗４の一端に接続された可動接点６ｃとを備えていて、限流抵抗４を奇数タップ側及び偶数タップ側に切換接続する。
【０００４】
主切換開閉器５は、奇数タップ用接触子２ａを通して変圧器１の奇数タップｔ1 ，ｔ3 ，…に接続される第１の主コンタクト５ａと、限流抵抗４の他端に接続された抵抗コンタクト５ｂと、偶数タップ用接触子２ｂを通して変圧器の偶数タップｔ2 ，ｔ4 ，…に接続される第２の主コンタクト５ｃと、負荷につながる回路に接続される可動コンタクト５ｄとを備えた開閉器である。
【０００５】
この主切換開閉器は、可動コンタクト５ｄが第１の主コンタクト５ａのみに接触している状態（図８Ａ，Ｂ）から第１の主コンタクト５ａと抵抗コンタクト５ｂの間を橋絡する状態（図８Ｃ）と、抵抗コンタクト５ｂのみに接触した状態（図８Ｄ）と、抵抗コンタクト５ｂと第２の主コンタクト５ｃとの間を橋絡した状態（図８Ｅ）とを経て第２の主コンタクト５ｃのみに接触した状態（図８Ｆ）に切り換わる第１の切換動作と、可動コンタクト５ｄが第２の主コンタクトのみに接触している状態（図８Ｆ）から該第２の主コンタクト５ｃと抵抗コンタクト５ｂの間を橋絡する状態（図８Ｅ）と、抵抗コンタクト５ｂのみに接触した状態（図８Ｄ）と、抵抗コンタクト５ｂと第１の主コンタクト５ａとの間を橋絡した状態（図８Ｃ）とを経て第１の主コンタクトのみに接触した状態（図８Ｂ，Ａ）に切り換わる第２の切換動作とを行うことができるように構成されている。
【０００６】
また従来のこの種のタップ切換装置では、奇数タップから偶数タップに負荷電流を切り換える際及び偶数タップから奇数タップに負荷電流を切り換える際にそれぞれ一方向及び他方向に回転駆動される主切換開閉器駆動軸と、該主切換開閉器駆動軸と連系動作する補助切換開閉器駆動軸とが別個に設けられていて、主切換開閉器駆動軸の回転に応動して主切換開閉器５に上記第１の切換動作または第２の切換動作を行わせるように主切換開閉器駆動機構（図示せず。）が構成され、補助切換開閉器駆動軸の回転に応動して補助切換開閉器６に切換動作を行わせるように補助切換開閉器駆動機構が構成される。主切換開閉器駆動機構及び補助切換開閉器駆動機構により、主切換開閉器５と補助切換開閉器６とが所定のシーケンスで動作させられる。
【０００７】
図８（Ａ）ないし（Ｆ）はタップを奇数タップ（図示の例ではタップｔ1 ）から偶数タップ（図示の例ではタップｔ2 ）に切り換える際の切換開閉器の動作のシーケンスの一例を示したものである。図８（Ａ）は、奇数タップを通して負荷に通電している状態を示している。この例では、奇数タップを通して負荷に通電している状態で、補助切換開閉器６の可動接点を第１の固定接点６ａに接触した状態に保つようにしている。この状態でタップ切換指令が与えられると、先ず図８（Ｂ）に示すように補助切換開閉器６の可動接点６ｃが固定接点６ｂに切り換えられる。可動接点６ｃが固定接点６ｂに切り換えられると同時に主切換開閉器の駆動軸が一方向に高速で回転駆動されて図８（Ｃ）の状態から（Ｆ）の状態に至る第１の切換動作が行われる。
【０００８】
またタップを偶数タップから奇数タップに切り換える場合には、補助切換開閉器６の可動接点６ｃが第１の固定接点６ａ側に切り換えられた後に、図８（Ｆ）の状態から（Ｂ）の状態に至る第２の切換動作が行われる。
【０００９】
図８に示した負荷時タップ切換装置においては、主切換開閉器５と補助切換開閉器６と、これらの切換開閉器を駆動する駆動機構とにより切換開閉器が構成されている。
【００１０】
上記のタップ切換装置では、タップ切換を行う際に、切換先のタップに限流抵抗４を接続した状態で主切換開閉器５の切換動作を行わせることにより、主切換開閉器５がタップ間を短絡する際に流れる短絡電流を制限して、主切換開閉器５の接点間で大きなアークが発生するのを防止している。
【００１１】
図８に示した例では、タップの切換動作を開始する際に補助切換開閉器６を動作させて、切換先のタップに限流抵抗４を接続するようにしているが、タップ切換動作を完了する際に次のタップ切換に備えて限流抵抗４の接続を切り換えておくようにする場合もある。この場合の切換開閉器の動作のシーケンスの一例を図９（Ａ）ないし（Ｆ）に示した。
【００１２】
図９に示した例では、奇数タップを通して通電しているときに、図９（Ａ）に示すように、補助切換開閉器６の可動接点６ｃが次のタップ切換先（偶数タップ）につながる第２の固定接点６ｂ側に切り換えられた状態にある。
【００１３】
タップを奇数タップから偶数タップに切り換える場合には、タップ切換指令が与えられると同時に図９（Ｂ）の状態から図９（Ｆ）の状態に至る主切換開閉器５の第１の切換動作を開始させる。そして、図９（Ｅ）に示すように主切換開閉器５の可動コンタクト５ｄが抵抗コンタクト５ｂと第２の主コンタクト５ｃとの間を橋絡した状態になった後、補助切換開閉器６を動作させて、その可動接点６ｃを第２の固定接点６ａ側に切り換える。
【００１４】
【発明が解決しようとする課題】
従来の負荷時タップ切換装置用切換開閉器では、主切換開閉器５を駆動する駆動軸と、補助切換開閉器６を駆動する駆動軸とを別個に設けて、両駆動軸を連系動作させるようにしていたため、駆動機構の構成が複雑になり、切換開閉器のコストが高くなるのを避けられなかった。
【００１５】
本発明の目的は、１つの駆動軸で主切換開閉器と補助切換開閉器とを駆動することができるようにして駆動機構の構造を簡単にすることができるようにした負荷時タップ切換開閉装置用切換開閉器を提供することにある。
【００１６】
【課題を解決するための手段】
本発明は、負荷に接続する変圧器のタップを切り換える切換動作を行う主切換開閉器と、限流抵抗の接続を切り換える切換動作を行う補助切換開閉器と、負荷に接続するタップを切り換える際に回転駆動される駆動軸と、該駆動軸の回転に伴って主切換開閉器に切換動作を行わせる主切換開閉器駆動機構と、予め設定された動作タイミングで補助切換開閉器の切換動作を行わせる補助切換開閉器駆動機構とを備えた負荷時タップ切換装置用切換開閉器に係わるものである。
【００１７】
本発明においては、主切換開閉器を駆動する駆動軸により補助切換開閉器をも動作させる。そのため、本発明で用いる補助切換開閉器駆動機構は、回動自在に支持された従動レバーと、従動レバーに対して相対的に回動し得るように設けられた駆動レバーと、従動レバーと駆動レバーとの間に設けられて駆動レバーの回動により蓄勢されるトグルバネとを備えて駆動レバーが所定の角度回動したときにトグルバネの付勢力により従動レバーが速動して補助切換開閉器の切換動作を行わせるように構成されたトグル機構と、補助切換開閉器の切換動作を設定された動作タイミングで行わせるように主切換開閉器の駆動軸の回転を駆動レバーに伝達する駆動力伝達機構とを備えている。
【００１８】
上記のように構成すると、主切換開閉器を駆動する駆動軸を利用して補助切換開閉器を駆動することができるため、駆動機構の簡素化を図ることができ、切換開閉器のコストの低減を図ることができる。
【００１９】
負荷時タップ切換装置においては、多くの場合、変圧器のタップが奇数タップと偶数タップとに分けられて、奇数タップと偶数タップとに対してそれぞれ接触子が設けられ、負荷に接続する変圧器のタップを奇数タップから偶数タップに切り換える第１の切換動作と、偶数タップから奇数タップに切り換える第２の切換動作とを行うように主切換開閉器が構成される。
【００２０】
また補助切換開閉器は、奇数タップ及び偶数タップにそれぞれ接続される第１及び第２の固定接点と、限流抵抗に接続されて第１の固定接点に接触する位置と第２の固定接点に接触する位置との間を変位させられる可動接点とにより構成される。
【００２１】
この場合、負荷に接続するタップを奇数タップから偶数タップに切り換える際及び偶数タップから奇数タップに切り換える際にそれぞれ一方向及び他方向に回転駆動される駆動軸が設けられ、該駆動軸が一方向に回転したとき及び他方向に回転したときにそれぞれ主切換開閉器に第１の切換動作及び第２の切換動作を行わせるように主切換開閉器駆動機構が構成される。また、主切換開閉器の切換動作に対して一定の関係を持たせて予め設定した動作タイミングで補助切換開閉器の切換動作を行わせるように補助切換開閉器駆動機構が構成される。
【００２２】
本発明では、この補助切換開閉器駆動機構が、回動自在に支持されて可動接点を第１の固定接点に接触させた状態にする第１の位置と可動接点を第２の固定接点に接触させた状態にする第２の位置との間を回動させられる従動レバーと、従動レバーに対して相対的に回動し得るように設けられた駆動レバーと、従動レバーと駆動レバーとの間に設けられて駆動レバーの回動により蓄勢されるトグルバネとを備えて、駆動レバーが一方向及び他方向に所定の角度回動したときにそれぞれトグルバネの付勢力により従動レバーが第１の位置側及び第２の位置側に速動して補助切換開閉器の切換動作を行わせるトグル機構と、補助切換開閉器の切換動作を設定された動作タイミングで行わせるように主切換開閉器駆動軸の回転を駆動レバーに伝達する駆動力伝達機構とにより構成される。
【００２３】
【発明の実施の形態】
本発明に係わる負荷時タップ切換装置用切換開閉器の各部のうち、補助切換開閉器及び補助切換開閉器駆動機構の構成例を図１及び図２に示す。図１は補助切換開閉器６及び補助切換開閉器駆動機構１０の構成を示す要部の上面図、図２は同要部の縦断面図である。また図３ないし図７は補助切換開閉器及びその駆動機構の動作を説明する動作説明図である。
【００２４】
図１及び図２において１１は中心軸線を垂直方向に向けて配置された絶縁筒、６ａ及び６ｂは絶縁筒１１の内周に所定の間隔を隔てて周方向に並ぶように配置された第１及び第２の固定接点である。
【００２５】
また１２は絶縁筒１１と中心軸線を共有するように配置されて絶縁筒１１に対して固定されたフレーム１３に回転自在に支持された駆動軸で、本発明においては、この駆動軸１２が補助切換開閉器と主切換開閉器とに対して共通に設けられている。
【００２６】
フレーム１３には駆動軸１２を支持するための孔が設けられていて、この孔に軸受１４を介して駆動軸１２の上端が支持されている。
【００２７】
フレーム１３にはまた、駆動レバー１５が支持されている。図示の駆動レバー１５は、１対の脚部１５a1，１５a2と両脚部間を連結する連結部１５a3からなる二股部１５ａを有していて、駆動軸１２よりも絶縁筒１１寄りに位置させた状態で、かつ二股部１５ａを駆動軸１２側に向けた状態で配置されて、フレーム１３に固定された支持軸１６により回動自在に支持されている。
【００２８】
フレーム１３の絶縁筒１１寄りには、従動レバー１７が支持されている。図示の従動レバー１７は、長手方向の一端にボス部１７ａが形成された板状の部材からなっていて、その板面をフレーム１３と平行にした状態で配置されている。従動レバー１７のボス部１７ａにはフレーム１３に固定された支持軸１８が嵌合され、該支持軸１８により従動レバー１７がフレーム１３に回動自在に支持されている。
【００２９】
従動レバー１７は、その長手方向の他端が固定接点６ａ，６ｂの近傍に達するように設けられていて、該従動レバー１７の他端に補助切換開閉器６の可動接点６ｃが取り付けられ、従動レバー１７の一方向（図１において反時計方向）及び他方向（図１において時計方向）への回動に伴って可動接点６ｃが第１の固定接点６ａの接点部及び第２の固定接点６ｂの接点部にそれぞれ接触した状態になる第１の位置及び第２の位置まで変位させられるようになっている。図１に示した状態では、可動接点６ｃが第２の位置に配置されて、第２の固定接点６ｂの接点部に接触させられている。
【００３０】
駆動レバー１５の先端には支持軸部１５ｂが設けられていて、該支持軸部１５ｂにより第１のバネ受板１９の中央部が回動自在に支持されている。また従動レバー１７の回動中心よりも絶縁筒１１側に寄った位置に支持軸部１７ｂが設けられていて、該支持軸部１７ｂにより第２のバネ受板２０の中央部が回動自在に支持されている。第１のバネ受板１９にトグルバネ２１の一端が結合され、第２のバネ受け板２０にトグルバネ２１の他端が結合されている。
【００３１】
この例では、駆動レバー１５と、従動レバー１７と、バネ受板１９及び２０と、トグルバネ２１とにより、駆動レバー１５が所定の角度回動したときにトグルバネ２１の付勢力により従動レバー１７を速動させて補助切換開閉器６の切換動作を行わせるトグル機構が構成されている。
【００３２】
このトグル機構においては、図３に示すように、可動接点６ｃが第２の固定接点６ｂに接触した状態で、駆動レバー１５に駆動力が与えられていないときに、絶縁筒１１の中心軸線と直交する面上でバネ受け板１９の支持部の中心とバネ受け板２０の支持部の中心とを結ぶ直線Ｏ1 −Ｏ1 （トグルバネ２１の付勢力が働く方向に沿う直線）が、絶縁筒１１の軸線と直交する平面上で従動レバー１７の支持軸１８の中心とバネ受け板２０の支持部の中心とを結ぶ直線Ｏ2 −Ｏ2 （従動レバー１７の中心軸線）に対して一定角度θ1 だけ第１の固定接点６ａ側に傾いた状態になって、可動接点６ｃを第２の固定接点６ｂ側にトグルバネの付勢力によって押圧する力が生じるように、各部の寸法及び位置関係が設定されている。
【００３３】
また、図７に示すように、可動接点６ｃが第１の固定接点６ａに接触している状態で、バネ受け板１９を支持する支持軸部１５ｂの中心（バネ受け板１９の回動中心）とバネ受け板２０を支持する支持軸部１７ｂの中心（バネ受け板２０の回動中心）とを結ぶ直線Ｏ1 −Ｏ1 が、絶縁筒１１の軸線と直交する平面上で従動レバー１７の支持軸１８の中心とバネ受け板２０の支持部の中心とを結ぶ直線Ｏ2 −Ｏ2 に対して一定角度θ1 だけ第２の固定接点６ｂ側に傾いた状態になって、可動接点６ｃを第１の固定接点６ａ側にトグルバネの付勢力によって押圧する力が生じるように各部の寸法及び位置関係が設定されている。
【００３４】
更に、図５に示すように、絶縁筒１１の軸線と直交する面上で駆動レバー１５のバネ受け板１９を支持する支持軸部１５ｂの中心とバネ受け板２０を支持する支持軸部１７ｂの中心とを結ぶ直線Ｏ1 −Ｏ1 が従動レバー１７の支持軸１８の中心とバネ受け板２０を支持する支持軸部１７ｂの中心とを結ぶ直線Ｏ2 −Ｏ2 に一致したときに、トグル機構が死点を迎えるように各部の寸法及び位置関係が設定されている。
【００３５】
駆動軸１２の上端には、回動板３５が固定されて、該回動板３５に駆動ピン３６が固定され、該駆動ピン３６が駆動レバー１５の二股部１５ａの脚部１５a1と１５a2との間に挿入されている。
【００３６】
この例では、駆動ピン３６と駆動レバー１５の二股部１５ａとにより、補助切換開閉器６の切換動作を設定された動作タイミングで行わせるように駆動軸１２の回転を駆動レバー１５に伝達する駆動力伝達機構が構成されている。
【００３７】
図１及び図３に示したように、奇数タップが選択されて補助切換開閉器６の可動接点６ｃが第２の固定接点６ｂに接触した状態で負荷への通電が行われているときには、駆動ピン３６が駆動レバー１５の二股部１５ａの第１の脚部１５a1の近傍に配置されている。この状態で駆動軸１２が図３において時計方向に所定角度回転すると、図４に示すように駆動ピン３６が駆動レバー１５の二股部１５ａの第２の脚部１５a2に当接し、この状態で更に駆動軸１２が時計方向に回転すると、駆動ピン３６が駆動レバー１５の脚部１５a2を押して該駆動レバー１５を支持軸１６を中心にして反時計方向に回動させる。駆動レバー１５が図５に示す位置まで回転するとトグル機構が死点を迎える。駆動軸１２が更に回転して図６に示すようにトグル機構が死点を越えると、図７に示すように、トグルバネ２１の付勢力により従動レバー１７が支持軸１８を中心にして反時計方向に一気に回動して、可動接点６ｃが第１の固定接点６ａに接触する。
【００３８】
図７に示す状態では、駆動ピン３６が駆動レバー１５の二股部１５ａの第２の脚部１５a2の近傍に配置される。この状態から駆動軸１２が反時計方向に所定角度回転すると駆動ピン３６が駆動レバーの第１の脚部１５a1に当接し、その位置から更に駆動軸が反時計方向に回転すると、駆動レバー１５が時計方向に回動して、上記と逆の動作により可動接点６ｃが図３に示すように第２の固定接点６ｂに接触した状態に戻る。
【００３９】
このように、本発明は、主切換開閉器５を駆動する駆動軸１２を利用して補助切換開閉器６の駆動レバー１５を駆動することによりトグル機構を動作させ、該トグル機構により可動接点６ｃを速動させる点に特徴がある。
【００４０】
図示の切換開閉器は、図９（Ａ）ないし（Ｆ）に示したシーケンスで主切換開閉器５と補助切換開閉器６とを動作させるように構成されている。そのため、タップを奇数タップから偶数タップに切り換える際に、駆動軸１２が時計方向に回転する過程で、主切換開閉器５の可動コンタクト５ｄが抵抗コンタクト５ｂと第２の主コンタクト５ｃとの間を橋絡した状態になった後に補助切換開閉器６を駆動するトグル機構が図５に示した死点を迎え、タップを偶数タップから奇数タップに切り換える際に、駆動軸１２が反時計方向に回転する過程で主切換開閉器５の可動コンタクト５ｄが抵抗コンタクト５ｂと第１の主コンタクト５ａとの間を橋絡した状態になった後に補助切換開閉器６を駆動するトグル機構が図５に示した死点を迎えるように、駆動ピン３６と駆動アーム１５の二股部１５ａとの間の位置関係が設定されている。
【００４１】
図９（Ａ）に示すように、奇数タップｔ1 を選択して通電している状態では、図１及び図３に示すように補助切換開閉器６の可動接点６ｃが第２の固定接点６ｂに接触した状態にある。
【００４２】
上記の説明では、図９のシーケンスで主切換開閉器と補助切換開閉器とを動作させるとしたが、図８（Ａ）ないし（Ｆ）に示したシーケンスで主切換開閉器と補助切換開閉器とを動作させるようにすることもできる。図８（Ａ）ないし（Ｆ）のシーケンスで動作させる場合には、駆動軸１２が回転を開始すると同時に駆動ピン３６が駆動レバー１５に係合して該駆動レバーを回動させ、トグル機構を動作させた後に駆動ピン３６が駆動レバー１５から外れるように補助切換開閉器駆動機構を構成する。
【００４３】
上記のように構成すると、駆動軸１２を主切換開閉器５と補助切換開閉器６とに対して共通に設ければよいため、駆動機構の簡素化を図って、切換開閉器のコストの低減を図ることができる。
【００４４】
上記の例では、絶縁筒１１内に補助切換開閉器６と主切換開閉器５とが１相分のみ設けられているが、絶縁筒１１内に補助切換開閉器６及び主切換開閉器５を３相分収納して、３相の補助切換開閉器及び主切換開閉器を共通の駆動軸により駆動するように構成することができる。
【００４５】
【発明の効果】
以上のように、本発明によれば、補助切換開閉器を駆動するトグル機構を設けるととともに、所定の動作タイミングで補助切換開閉器の切換動作を行わせるように主切換開閉器の駆動軸の駆動力をトグル機構に伝達する駆動力伝達機構を設けて、主切換開閉器の駆動軸により主切換開閉器と補助切換開閉器との双方を駆動することができる。従って、補助切換開閉器の駆動軸及び主切換開閉器の駆動軸を別個に設けていた従来の切換開閉器に比べて駆動機構の簡素化を図って、切換開閉器のコストの低減を図ることができる。
【図面の簡単な説明】
【図１】本発明に係わる補助切換開閉器の構成例を示した要部の上面図である。
【図２】図１に示した補助切換開閉器の要部の縦断面図である。
【図３】図１に示した補助切換開閉器がタップ切換に備えて待機している時の状態を示した上面図である。
【図４】図１に示した補助切換開閉器において駆動軸から駆動レバーへの動力の伝達が開始される際の状態を示した要部の上面図である。
【図５】図１に示した補助切換開閉器においてトグル機構が死点を迎えたときの状態を示した要部の上面図である。
【図６】図１に示した補助切換開閉器においてトグル機構が死点を越えた直後の状態を示した要部の上面図である。
【図７】図１に示した補助切換開閉器において補助切換開閉器が切換動作を行った状態を示した要部の上面図である。
【図８】（Ａ）ないし（Ｆ）は切換開閉器の動作のシーケンスの一例を示した動作説明図である。
【図９】（Ａ）ないし（Ｆ）は切換開閉器の動作のシーケンスの他の例を示した動作説明図である。
【符号の説明】
１…変圧器、２ａ…奇数タップ用接触子、２ｂ…偶数タップ用接触子、４…限流抵抗器、５ａ及び５ｂ…第１及び第２の固定接点、６…補助切換開閉器、６ａ…第１の固定接点、６ｂ…第２の固定接点、６ｃ…可動接点、１２…駆動軸、１５…駆動レバー、１６…駆動レバーの支持軸、１７…従動レバー、１８…従動レバーの支持軸、１９…バネ受板、２０…バネ受板、２１…トグルバネ。
【図１】
0004369028.tif 000002
【図２】
0004369028.tif 000003
【図３】
0004369028.tif 000004
【図４】
0004369028.tif 000005
【図５】
0004369028.tif 000006
【図６】
0004369028.tif 000007
【図７】
0004369028.tif 000008
【図８】
0004369028.tif 000009
【図９】
0004369028.tif 000010